(57)【特許請求の範囲】
【請求項１】
透液性のシート状表面材と、不透液性のシート状裏面材と、これら表裏面材間に介在する吸液性芯材とを有する使い捨ての体液吸収性着用物品において、
前記表面材は、上下面を有する厚さ０．００１〜０．０５ｍｍのプラスチック薄膜部と、前記プラスチック薄膜部どうしの間に形成された透液性の開口と、前記プラスチック薄膜部の下面に接合するとともに前記開口の下方に位置する第１繊維層とからなっていて、１０ｍｍ以下のクレム吸水度を有し、前記開口は０．０５〜１ｍｍの幅と前記表面材の表面積に対して３〜４０％を占める開口面積率とを有し、前記開口を画成する前記プラスチック薄膜部の縁には、該薄膜部の上面から立ち上がり最大高さ１．５ｍｍを有する該薄膜部のフィブリル化した部分が形成され、前記第1繊維層の繊維は０．５〜２０ｄｔｅｘの繊度と５〜６０ｇ／ｍ２の坪量とを有しており、
前記芯材は、前記第１繊維層の下面に当接する第２繊維層と、前記第２繊維層の下面に当接する第３繊維層とを有し、前記第２繊維層のクレム吸水度が３５ｍｍよりも低くて前記表面材のクレム吸水度よりも１５ｍｍ以上高く、前記第３繊維層のクレム吸水度が少なくとも３５ｍｍであって、前記第２繊維層のクレム吸水度よりも１５ｍｍ以上高いことを特徴とする前記物品。
【請求項２】
前記開口には０．０５〜１ｍｍの幅と、前記幅の少なくとも１．５倍の長さとを有するものが含まれている請求項１記載の物品。
【請求項３】
前記表面材には、該表面材の上面から下面にまで延びる管状部が多数形成され、前記管状部が上面開口と下面開口とこれら両開口間にに延びる管壁とを有し、前記両開口の径が０．１〜５ｍｍの範囲にある請求項１または２記載の物品。
【請求項４】
前記表面材が該表面材の上面に始まって下面へ向かって延び、前記第１繊維層内に終わる多数の凹部を有し、前記凹部の前記表面材上面における開口の径が０．１〜５ｍｍの範囲にある請求項１〜３のいずれかに記載の物品。
【請求項５】
前記第２、３繊維層のいずれかが複数の繊維層からなり、前記複数の繊維層は、下方に位置するもののクレム吸水度が上方に位置するもののそれよりも高く形成されている請求項１〜４のいずれかに記載の物品。
【請求項６】
前記プラスチック薄膜部の縁には前記フィブリル化した部分が複数形成され、隣り合うフィブリル化した部分と部分との間では前記プラスチック薄膜部と前記開口にのぞく前記第１繊維層とがつながっている請求項１〜５のいずれかに記載の物品。
【請求項７】
前記第２繊維層が親水性繊維を含み、２０〜５０ｇ／ｍ２の坪量と、０．０５ｇ／ｃｍ３よりも小さくて、前記第１繊維層の密度よりも高い密度を有している請求項１〜６のいずれかに記載の物品。
【請求項８】
前記第３繊維層が親水性繊維を含み、５０〜５００ｇ／ｍ２の坪量と、０．０５〜０．３０ｇ／ｃｍ３の密度とを有している請求項１〜７のいずれかに記載の物品。
【請求項９】
前記第３繊維層が５〜５０重量％の高吸水性ポリマー粒子を含む請求項１〜８のいずれかに記載の物品。
【請求項１０】
前記親水性繊維が粉砕パルプである請求項７〜９のいずれかに記載の物品。
【発明の詳細な説明】
【０００１】
【発明の属する技術分野】
この発明は、使い捨ておむつや吸尿パッド、生理用ナプキン等の使い捨ての体液吸収性着用物品に関する。
【０００２】
【従来の技術】
図９は、特開平１１−２１７４５３号公報に開示された透液性の可撓性複合シート１００の斜視図である。複合シート１００は、体液吸収性着用物品の吸液性コアを被覆する透液性の表面シートとして使用することができるもので、プラスチックシート１０１と、シート１０１の下面に接合する繊維層１０２とからなる。シート１０１は、互いに並行してＹ方向へ延びる複数条の平坦な部分１０８と、多数の開口１０９によって形成されて前記Ｙ方向へ延びる複数条の開口列１１１とを有し、平坦な部分１０８の縁１１８には平坦な部分１０８から上方へ向かって延びる起立部分１１２が形成されている。起立部分１１２は、その上縁１１７ａが縁１１８に沿って起伏を繰り返している。この複合シート１００が、例えば使い捨ておむつの透液性表面材として使用されると、複合シート１００の上に排泄された体液が、平坦な部分１０８では隣り合う起立部分１１２と１１２との間の谷間の部分を通って開口１０９へと流れ込み、複合シート１００の下に位置するコアに吸収される。シート１０１は、繊維層１０２によってその形状が保持されているから、シート１０１にしわが生じて多数の開口１０９が実質的に閉じた状態になるということがない。好ましい複合シート１００は、５〜７００ｃｍ３／ｃｍ２・ｓｅｃのＪＩＳ  Ｌ  １０９６に準拠した通気度と、０〜２００ｍｍのＪＩＳ  Ｌ  １０９２に準拠した耐水度とを有する。
【０００３】
【発明が解決しようとする課題】
前記公知の可撓性複合シートは、多数の隆起部が存在することによって、プラスチックシートを素材としているにもかかわらず布様の肌触りを有している。また、多数の開口が形成されていることによって、透液性と通気性とに優れたものになる。かかる複合シートは、プラスチックシートからなる平坦な部分と、これから立ち上がる起立部分とが疎水性のものであることによって、体液排泄後にも乾燥した布様の肌触りを維持できるのであるが、その反面これらの平坦な部分や起立部分が体液に濡れにくく、複合シートの透液性を低下させる場合がある。
【０００４】
そこで、この発明は、前記公知の複合シートの特徴である乾燥した布様の肌触りと透液性とを十分に生かすことができるような使い捨ての体液吸収性物品の提供を課題にしている。
【０００５】
【課題を解決するための手段】
前記課題解決のために、この発明が対象とするのは、透液性のシート状表面材と、不透液性のシート状裏面材と、これら表裏面材間に介在する吸液性芯材とを有する使い捨ての体液吸収性着用物品である。
【０００６】
かかる物品において、この発明が特徴とするところは、次のとおりである。前記表面材が上下面を有する厚さ０．００１〜０．０５ｍｍのプラスチック薄膜部と、前記プラスチック薄膜部どうしの間に形成された透液性の開口と、前記プラスチック薄膜部の下面に接合するとともに前記開口の下方に位置する第１繊維層とからなっていて、１０ｍｍ以下のクレム吸水度を有する。前記開口は０．０５〜１ｍｍの幅と前記表面材の表面積に対して３〜４０％を占める開口面積率とを有する。前記開口を画成する前記プラスチック薄膜部の縁には、該薄膜部の上面から立ち上がり最大高さ１．５ｍｍを有する該薄膜部のフィブリル化した部分が形成されている。前記第1繊維層の繊維は０．５〜２０ｄｔｅｘの繊度と５〜６０ｇ／ｍ２の坪量とを有する。前記芯材は、前記第１繊維層の下面に当接する第２繊維層と、前記第２繊維層の下面に当接する第３繊維層とを有する。前記第２繊維層のクレム吸水度は３５ｍｍよりも低くて前記表面材のクレム吸水度よりも１５ｍｍ以上高い。前記第３繊維層のクレム吸水度は少なくとも３５ｍｍであって、前記第２繊維層のクレム吸水度よりも１５ｍｍ以上高い。
【０００７】
【発明の実施の形態】
使い捨ての体液吸収性物品として生理用ナプキンを例にとり、この発明の詳細を説明すると、以下のとおりである。
【０００８】
図１に部分破断図で示された生理用ナプキン１は、透液性のシート状表面材２と、不透液性のシート状裏面材３と、これら表裏面材２，３間に介在する吸収性芯材４とからなる。表裏面材２，３は、コア４の周縁から側方へ延出する部分が加圧下に重なり合い接着または溶着によって互いに接合している。表面材２は、着用者の肌側に位置する平坦なプラスチック薄膜部６と薄膜部６の下面に接合する繊維集合部７とを有し、芯材４は、繊維集合部７の下面に接合する隠蔽層４１と、隠蔽層４１の下面に接合する保水層４２とを有する。裏面材３は、１枚のプラスチックシートで作られている。
【０００９】
図２〜４は、図１のＩＩ−ＩＩ線断面図と、ナプキン１の部分拡大斜視図と、その斜視図のＩＶ−ＩＶ線断面図とである。表面材２の全体に広がる薄膜部６は、疎水性または弱親水性の熱可塑性プラスチックシート素材を特開平１１−２１７４５３号公報に開示されているような高圧柱状水流で処理することにより得られるもので、０．０５〜１ｍｍの厚さを有し、周縁には上方へ向かって立ち上がり、薄膜部６と同程度かそれよりも薄い起立部分１７を備え、隣り合う薄膜部６と６との間には透液性の開口３１が形成されている。
【００１０】
繊維集合部７は、０．５〜２０ｄｔｅｘの繊度を有する疎水性または弱親水性の熱可塑性合成繊維１３からなるもので、６〜６０ｇ／ｍ２の坪量を有する。繊維１３どうしは、機械的な交絡、溶着、接着等によって互いに接合している。かかる繊維集合部７は、好ましくはスパンレース不織布、スパンボンド不織布、メルトボンド不織布、エアースルー不織布、メルトブローン不織布等の不織布によって形成される。繊維集合部７は、裏面材３と重なるナプキン１の周縁部において圧縮された状態にある。
【００１１】
薄膜部６と繊維集合部７とは、溶着または接着によって互いに接合している。薄膜部６は、図３に示されるように、表面材２の第１方向Ｘと、これに交差する第２方向Ｙとに間欠的に並んでいる。隣り合う薄膜部６と６との第１方向Ｘにおける間隔および第２方向Ｙにおける間隔は、１ｍｍ以下であり、かつ少なくとも一方の間隔は、０．０５ｍｍよりも大きい。これらの間隔は、薄膜部６と６との間で繊維集合部７がナプキン１着用者の肌に向かって露出することができる開口３１を形成し、かかる開口３１が表面材２の表面積の３〜４０％を占めている。薄膜部６の平面形状は特に規定されないが、図示例のようにほぼ四角形のものである場合には、その縁を形成して第１方向Ｘへ互いに並行して延びる第１，２辺２１，２２と、第２方向Ｙヘ互いに並行して延びる第３，４辺２３，２４とが０．１〜５ｍｍの範囲にあることが好ましく、各辺２１〜２４の交角は２０〜１６０°の範囲にあることが好ましい。
【００１２】
薄膜部６の縁に形成された起立部分１７は、薄膜部６を形成しているプラスチックシート素材と同じ素材であって、開口３１の位置にあった素材が高圧柱状水流の作用を受けて破れ、フィブリル化した部分である。起立部分１７では、その頂縁１７aが薄膜部６の第１〜４辺２１〜２４に沿って起伏を繰り返しており、薄膜部６の上面から頂縁１７aまでの高さは最大で１．５ｍｍに達し、隣り合う起立部分１７と１７との間の谷間の部分で頂縁１７aが薄膜部６と一致したときには、その高さが最小の０ｍｍとなる。かかる谷間の部分では、薄膜部６と開口３１にのぞく繊維集合部７とがつながっている。このように形成された表面材２についてのＪＩＳ  Ｐ  ８１４１に規定のクレム吸水度は、１０ｍｍ以下である。また、好ましい表面材２についてのＪＩＳ  Ｌ  １０９６に規定の通気度は５〜７００ｃｍ３／ｃｍ２・ｓｅｃであり、ＪＩＳ  Ｌ  １０９２に規定の耐水度は０〜２００ｍｍである。
【００１３】
芯材４において、隠蔽層４１は親水性繊維４６を含み、クレム吸水度が３５ｍｍ以下であって、表面材２のクレム吸水度よりも１５ｍｍ以上高い。かような隠蔽層４１は、好ましくは２０〜５０ｇ／ｍ２の坪量と、０．０５ｇ／ｃｍ３よりも小さくて、繊維集合部７の密度よりも高い密度とを有し、粉砕パルプ、粉砕パルプと熱可塑性合成繊維の混合物、親水化処理した熱可塑性合成繊維等によって形成される。隠蔽層４１は、必要に応じてティッシュペーパで被覆され、そのティッシュペーパは間欠的に塗布されたホットメルト接着剤を介して繊維集合部７に接合することができる。保水層４２もまた親水性繊維４７を含み、保水層４２のクレム吸水度は少なくとも３５ｍｍであって、かつ、隠蔽層４１のそれよりも１５ｍｍ以上高い。かような保水層４２は、例えば５０〜５００ｇ／ｍ２の坪量と０．０５〜０．３０ｇ／ｃｍ３の密度とを有する粉砕パルプまたは粉砕パルプと高吸水性ポリマー粒子４８との混合物によって形成される。親水性繊維４７には、粉砕パルプの他に、レーヨン繊維や親水化処理した熱可塑性合成繊維を使うことができる。親水性繊維４７には、疎水性の熱可塑性合成繊維を２０重量％を限度に混合することもできる。この保水層４２は、隠蔽層４１よりも高い密度を有することによって、またはその密度に加えて親水性の高い繊維４７を含むことによって、隠蔽層４１よりも少なくとも１５ｍｍ高いクレム吸水度を有するように作られる。保水層４２は、必要に応じてティッシュペーパで被覆されるか、または隠蔽層４１とともにティッシュペーパで被覆されて使用される。
【００１４】
かような生理用ナプキン１では、経血が表面材２の開口３１から繊維集合部７を通過し、クレム吸水度が順に高くなる隠蔽層４１、保水層４２へと浸透する。また、表面材２の薄膜部６の経血は、起立部分１７と１７との間の谷間の部分から開口３１へ進入することができる。このようなナプキン１では、薄膜部６や起立部分１７が疎水性のものであっても、クレム吸水度の勾配にしたがって経血が速やかに吸収されるので、表面材２は経血吸収の前後において乾燥した肌触りを着用者に与えることができ、蒸れを感じさせることが少ない。表面材２の薄膜部６は、特に布様で乾燥した肌触りを着用者に与えることができ、繊維集合部７は薄膜部６を芯材４に密着させて経血を確実に開口３１から保水層４２へと浸透させることができる。芯材４の隠蔽層４１は保水層４２に浸透した経血を隠蔽することができるので、使用後のナプキン１を廃棄するときに、ナプキン１の汚れが目につきにくい。保水層４２では、経血が高吸水性ポリマー粒子４８に吸収されれば、ナプキン２に体圧が作用しても経血は着用者の肌へ向かって逆流するということがない。これらの隠蔽層４１や保水層４２は、それぞれを２層以上の層構造物にすることができる。そのような構造物では、下方に位置する層のクレム吸水度を上方に位置する層のクレム吸水度よりも高くすることが好ましい。
【００１５】
図５は、この発明の実施態様の一例を示す図３と同様の図面である。このナプキン１の表面材２には、図９に示された公知の可撓性シートが使用されている。この表面材２は、互いに並行して第２方向Ｙへ延びる複数条の薄膜部６と、多数の開口３１によって形成されて第２方向Ｙへ延びる複数条の開口列３２と、薄膜部６の下面に接着または溶着によって接合するとともに開口３１の下方に位置する繊維集合部７とを有する。開口３１を画成している薄膜部６の縁には、上方へ向かって立ち上がる起立部分１７が形成され、起立部分１７の上縁１７ａが第２方向Ｙへ起伏を繰り返している。第１方向Ｘにおいて隣り合う薄膜部６と６とは、第２方向Ｙへ並ぶ開口３１と３１との間に位置する架橋部分１０によってつながれている。架橋部分１０には、図示されるように湾曲したもの１０ａと平坦なもの１０ｂとがある。起立部分１７は、この架橋部分１０の縁に形成されることもある。好ましい開口３１は、第１方向Ｘにおける幅が０．０５〜１ｍｍで、第２方向Ｙにおける長さが幅の少なくとも１．５倍であって、表面材２の表面積に占める割合が１０〜４０％である。開口３１では、繊維集合部７を形成している繊維１３の一部のものが上方へ向かって延びている。表面材２における薄膜部６のその他の性状、および薄膜部６の下面に密着する繊維集合部７の性状は、図３の表面材２のそれと同様である。ナプキン１の裏面材３や芯材４もまた図３のそれと同様なものである。この表面材２を有するナプキン１では、経血が薄膜部６を伝って第２方向Ｙヘ流れ、容易にナプキン１の両端部に達することができる。経血はその両端部においても芯材４に吸収されるので、ナプキン１の長さ方向の全体が経血の吸収に利用される。
【００１６】
図６，７は、この発明の実施態様の一例を示す図５と同様な図面と、そのＶＩＩ−ＶＩＩ線断面図である。ナプキン１の表面材２には、表面材２の上面から下面へ向かう方向へ延びる管状部５１が多数形成されている。管状部５１は、上面開口５２と下面開口５３とこれら両開口５２，５３間に延びる間壁５４とを有し、表面材２の上面と下面とにおける両開口５２，５３の口径は０．１〜５ｍｍ、より好ましくは１．５〜５ｍｍの範囲にあり、上面開口５２が表面材２の上面に占める面積割合は１〜７０％、より好ましくは５〜５０％の範囲にある。また、管壁５４は、垂直方向に対して０〜７０°の勾配を有し、この勾配の範囲内において上面開口５２よりも下面開口５３を小さくすることが好ましい。下面開口５３は、吸収性芯４の上面位置する。
【００１７】
図８は、この発明の実施態様の一例を示す図７と同様な図面である。この場合の表面材２では、管状の凹部６１が表面材２の上面に始まって下面へ向かって延び、繊維集合部７の内部で終わっている。繊維集合部７からは、一部の構成繊維１３が上方へ向かって延びている。繊維１３は、凹部６１の上面開口６２からさらに上へ延びることによって、表面材２の肌触りを柔軟にするような効果を奏する。繊維１３が弱親水性のものであるときには、毛管作用によって体液を凹部６１の下方へ導くことが容易になる。凹部６１は、図６，７の管状部５１と共存することができる。
【００１８】
ナプキン１を例にとって説明したこの発明は、使い捨ておむつや吸尿パッド等の使い捨ての体液吸収性着用物品で実施することができる。
【００１９】
【発明の効果】
この発明に係る使い捨ての体液吸収性着用物品では、布様の肌触りを与えることができるフィブリル化した部分を有するとともに、透液性の開口を画成しているプラスチック薄膜部と繊維集合部とが一体となって表面材を形成し、この表面材と吸収性芯材とが互いに密着し、クレム吸水度が表面材から芯材の保水層へ向かって次第に高くなる。それゆえ、この着用物品では、表面材の薄膜部を疎水性または弱親水性で乾燥した肌触りを得やすいものにしても、体液の速やかな吸収が可能になる。
【図面の簡単な説明】
【図１】使い捨ての体液吸収性着用物品（生理用ナプキン）の部分破断斜視図。
【図２】図１のＩＩ−ＩＩ線断面図。
【図３】図１の部分拡大斜視図。
【図４】図３のＩＶ−ＩＶ線断面図。
【図５】実施態様の一例を示す図３と同様の図面。
【図６】実施態様の一例を示す図５と同様な図面。
【図７】図６のＶＩＩ−ＶＩＩ線断面図。
【図８】実施態様の一例を示す図６と同様な図面。
【図９】従来例の表面材の斜視図。
【符号の説明】
１      着用物品
２      表面材
３      裏面材
４      芯材
６      薄膜部
７      第１繊維層（繊維集合部）
１７      フィブリル化した部分（起立部分）
３１      開口
４１      第２繊維層（隠蔽層）
４２      第３繊維層（保水層）
４６      親水性繊維
４７      親水性繊維
４８      高吸水性ポリマー粒子
５１      管状部
５２      上面開口
５３      下面開口
５４      管壁
６１      凹部
【図１】
0003771432.tif 000002
【図２】
0003771432.tif 000003
【図３】
0003771432.tif 000004
【図４】
0003771432.tif 000005
【図５】
0003771432.tif 000006
【図６】
0003771432.tif 000007
【図７】
0003771432.tif 000008
【図８】
0003771432.tif 000009
【図９】
0003771432.tif 000010